(57)【特許請求の範囲】
【請求項１】
魚釣りに用いるルアーであって、
金属製のルアー本体と、
前記ルアー本体の頭部から尾部に渡って設けられたワイヤ部材と、
前記ルアー本体内の頭部底面側又は腹部底面側に埋め込まれ、前記ルアー本体を構成する金属の比重より大きい比重を有する重りと、
前記ルアー本体の頭部側端部付近において前記ワイヤ部材から分岐し、前記重りを貫通して前記ルアー本体の腹部付近から外部に突出する枝部と、
前記ワイヤ部材の一端に設けられ釣糸を係止する係止部と、
前記ワイヤ部材の他端に連結された第１フックと、
前記枝部の先端に連結された第２フックと、
を備えたルアー。
【請求項２】
前記ルアーは鉛製部材である、請求項１に記載のルアー。
【請求項３】
前記重りはタングステン合金である、請求項２に記載のルアー。
【請求項４】
魚釣りに用いるルアーであって、
頭部側底部付近に中空部を有し他の部分は中実の金属製のルアー本体と、
前記ルアー本体の頭部から尾部に渡って設けられたワイヤ部材と、
前記ルアー本体の中空部内に配置され、前記ルアー本体を構成する金属の比重より大きい比重を有する重りと、
前記ワイヤ部材の一端に設けられ釣糸を係止する係止部と、
前記ワイヤ部材の他端に連結されたフックと、
を備えたルアー。
【請求項５】
前記重りは小球状であり、前記ルアー本体の中空部内に複数配置されている、請求項４に記載のルアー。
【発明の詳細な説明】
【０００１】
【発明の属する技術分野】
本発明は、メタルジグと呼ばれる、外形を魚体に似せた金属製本体を有するルアーに関する。
【０００２】
【従来の技術】
従来のルアーには、合成樹脂製のルアー本体を有するプラグルアーと呼ばれるものがある。プラグルアーは、外形を魚に似せた合成樹脂製のルアー本体と、ルアー本体内に収納されたバランスウェイトと、ルアー本体頭部に設けられたライン（釣り糸）を結束するためのアイ（止め輪）とを有している。そして、ルアー本体は、成形加工後に様々な模様で塗装され、その上からラッカー等で表面をコーティングされている。
【０００３】
このプラグルアーは、水中で釣糸を引き寄せてリトリーブすると、バランスウェイトがルアー全体のバランスを保ち、ルアーは魚のように泳動して様々なアクション起こし、魚に強くアピールする。
【０００４】
【発明が解決しようとする課題】
前記従来のプラグルアーは、ルアー本体が合成樹脂製であり、キャスティング後の沈降速度及び沈降深さには限界がある。そこで、ルアーを速く沈降させ、また深い箇所にまで沈降させて釣りを行う場合には、金属製のルアー本体を有するメタルジグを用いて釣りを行っている。
【０００５】
しかし、このメタルジグは、キャスティング後に釣糸を巻き上げてリトリーブしたのみでは、ほとんどアクションを起こさず、十分に魚にアピールできない。本発明の課題は、速くかつ深くまで沈降し、十分にアクションを起こすルアーを提供することにある。
【０００６】
【課題を解決するための手段】
発明１にかかるルアーは、魚釣りに用いるルアーであって、金属製のルアー本体と、ルアー本体の頭部から尾部に渡って設けられたワイヤ部材と、ルアー本体内の頭部底面側又は腹部底面側に埋め込まれ、ルアー本体を構成する金属の比重より大きい比重を有する重りと、ルアー本体の頭部側端部付近においてワイヤ部材から分岐し重りを貫通してルアー本体の腹部付近から外部に突出する枝部と、ワイヤ部材の一端に設けられ釣糸を係止する係止部と、ワイヤ部材の他端に連結された第１フックと、枝部の先端に連結された第２フックとを備えている。
【０００７】
この場合には、金属製のルアー本体によって、ルアーは水深の深い箇所まで素早く沈降する。沈降後、ルアーをリトリーブさせると、重りがルアー全体のバランスを調整して泳動姿勢を安定させる。そして、ルアーは安定して泳動し、魚のような様々なアクションを起こす。ここで、重りは、ルアー本体の頭部の底部側付近や、腹部の底部側付近に埋め込むのが好ましい。また、ルアー本体は全体的に薄い板状であり、特に尾部にかけて薄く軽くなるように形成するのが好ましい。このように、頭部〜腹部付近にかけて重りを入れて重量を大きくして、尾部に向かって軽くなるように形成すると、リトリーブのアクションがより大きく活発になる。
【０００８】
発明２にかかるルアーは、発明１のルアーであって、ルアーは鉛製部材である。この場合には、ルアー本体が鉛製部材であり、安価にかつ容易にルアーを製造できる。発明３にかかるルアーは、発明２のルアーであって、重りはタングステン合金である。
【０００９】
この場合には、鉛より比重の大きいタングステン合金が、鉛製のルアー本体に対して重りとして作用し、ルアーのバランスを調整して泳動姿勢を安定させる。
発明４にかかるルアーは、魚釣りに用いるルアーであって、頭部側底部付近に中空部を有し他の部分は中実の金属製のルアー本体と、ルアー本体の頭部から尾部に渡って設けられたワイヤ部材と、ルアー本体の中空部内に配置され、ルアー本体を構成する金属の比重より大きい比重を有する重りと、ワイヤ部材の一端に設けられ釣糸を係止する係止部と、ワイヤ部材の他端に連結されたフックとを備えている。
【００１０】
この場合には、金属製のルアー本体によって、ルアーは水深の深い箇所まで素早く沈降する。沈降後、ルアーをリトリーブさせると、重りがルアー全体のバランスを調整して泳動姿勢を安定させる。さらに、リトリーブ時のルアー本体のアクションに併せて重りが中空部内を移動して、より大きなアクションを演出する。
【００１１】
発明５にかかるルアーは、発明４のルアーであって、重りは小球状であり、ルアー本体の中空部内に複数配置されている。この場合には、リトリーブ時に重り同士が中空部内で衝突して金属音を発生し、魚により強くアピールする。
【００１２】
【発明の実施の形態】
［第１実施形態］
以下、本発明の第１実施形態について、図面を参照しつつ説明する。
本発明の第１実施形態を採用したルアーは、図１及び図２に示すように、外形を魚に似せて形成した鉛製のルアー本体１と、ルアー本体１の頭部の上方側から尾部に渡って設けられたワイヤ部材１１と、ワイヤ部材１１の一端に設けられライン（釣糸）を係止し得るアイ（止め輪）２と、ワイヤ部材１１の他端に設けられたアイ３とを有している。そして、このアイ３にはスプリットリング４を介してフック（釣針）５が装着されている。さらに、ルアー本体１内の頭部底面側には重り１０が挿入されている。この重り１０はタングステンカーバイド−コバルト合金製部材である。具体的には、高純度のタングステン等の金属粉末を混合，粉砕し乾燥させ金型成形したものを高温真空中で焼結したものである。
【００１３】
ルアー本体１はやや薄目の板状部材であり、尾部にかけてさらに薄く軽くなるように形成されている。ワイヤ部材１１は、ルアー本体１の頭部側端部付近から分岐しているワイヤ枝部１１ａを有している。そして、このワイヤ枝部１１ａの先端が重り１０に挿入されている。
【００１４】
このルアーは以下のように製造される。まず、所定のワイヤ１１を用意する。このワイヤ１１は、ルアー本体１の頭部側に該当する一端にアイ２が連結されており、ルアー本体１の尾部側に該当する他端にアイ３が連結されている。そして、ワイヤ１１を成型用の金型内の所定位置に配置する。さらに、所定の位置に重り１０を配置して、鉛材を金型内に流し込んで鉛製のルアー本体１を成形し、フック５をアイ３に連結してルアーを製造する。
【００１５】
このように構成されたルアーでは、鉛製のルアー本体１によって、ルアーは水深の深い箇所まで素早く沈降する。沈降後、ルアーをリトリーブさせると、重り１０がルアー全体のバランスを調整して泳動姿勢を安定させる。そして、ルアーは安定して泳動し、魚のような様々なアクションを起こす。さらに、ワイヤ枝部１１ａが重り１０に挿入されているので、重り１０の位置安定性も向上する。
【００１６】
また、重り１０は、ルアー本体１の頭部の底部側付近に埋め込まれており、ルアー本体１は尾部にかけて薄く軽くなるように形成されているので、リトリーブ時のアクションがさらに活発になる。
［第２実施形態］
以下、本発明の第２実施形態について、図面を参照しつつ説明する。
【００１７】
本発明の第２実施形態を採用したルアーは、図３に示すように、ルアー本体１の頭部の上方側から尾部に渡って設けられたワイヤ部材２１を有している。このワイヤ部材２１は、ルアー本体１の頭部側端部付近から分岐しているワイヤ枝部２１ａを有している。このワイヤ枝部２１ａの先端はルアー本体１の腹部付近から外部に突出しており、この突出した先端にはアイ２２が設けられている。そして、アイ２２にはスプリットリング２３を介してフック２４が装着されている。
【００１８】
また、ルアー本体１の腹部底面側には重り１０が挿入されており、ワイヤ枝部２１ａは、この重り１０を貫通している。なお、その他の構成は、第１実施形態と同様であり、説明を省略する。このように構成されたルアーでは、第１実施形態と同様の作用効果を奏する。さらに、ワイヤ枝部２１ａが重り１０を貫通しているので、重り１０の位置安定性も向上する。
【００１９】
［第３実施形態］
以下、本発明の第３実施形態について図面を参照しつつ説明する。
本発明の第３実施形態を採用したルアーは、図４及び図５に示すように、外形を魚に似せて形成し頭部側底部付近に中空部４１ａを有する鉛製のルアー本体４１と、ルアー本体４１の頭部の上方側から尾部に渡って設けられたワイヤ部材５１と、ワイヤ部材５１の一端に設けられラインを係止し得るアイ４２と、ワイヤ部材５１の他端に設けられたアイ４３とを有している。そして、このアイ４３にはスプリットリング４４を介してフック４５が装着されている。
【００２０】
また、ルアー本体４１内の中空部４１ａ内には、複数の小球重り５０が配置されている。この重り５０は、第１実施形態と同様に、タングステンカーバイド−コバルト合金製部材である。このように構成されたルアーでは、ルアー本体５１が鉛製部材であるので、ルアーは水深の深い箇所まで素早く沈降する。そして、沈降後にルアーをリトリーブすると、小球重り５０がルアー全体のバランスを調整して泳動姿勢を安定させる。さらに、リトリーブ時に小球重り５０同士が中空部５１ａ内で衝突して金属音を発生し、魚により強くアピールする。
【００２１】
［第４実施形態］
以下、本発明の第４実施形態について、図面を参照しつつ説明する。本発明の第４実施形態を採用したルアーは、図６に示すように、外形を魚に似せて形成した鉛製のルアー本体６１と、ルアー本体６１の頭部の上方側から尾部下方に渡って設けられたワイヤ部材７１と、ルアー本体６１の頭部底面側に挿入された重り１０とを有している。
【００２２】
ワイヤ部材７１の両端はフック状に折り曲げられ、それぞれラインを係止可能な係止部７１ａとフックを連結可能な連結部７１ｂとなっている。そして、折り曲げられた先端部はルアー本体６１内に挿入されている。なお、その他の構成は第１実施形態と同様であり、説明を省略する。このように構成されたルアーでは、第１実施形態と同様の作用効果を奏する。また、ワイヤ部材７１の両端がそれぞれ係止部７１ａ及び連結部７１ｂとなっているので、容易に製造できる。
【００２３】
［他の実施形態］
（ａ）ルアー本体は、鉛以外の合金を用いて製造してもよい。
（ｂ）分岐していないワイヤ部材を用いてもよい。
（ｃ）ルアー本体の中空部に配置する小球重りは、ルアー本体と同様の素材で製造してもよい。この場合にも、小球重り同士が衝突して金属音を発生し、魚に強くアピールすることができる。
【００２４】
【発明の効果】
本発明にかかるルアーによれば、ルアー本体が金属製部材であるので、素早く水深の深い所にまで沈降させることができる。また、ルアー本体より比重の大きい重りをルアー本体内に有しているので、ルアー全体のバランスを調整でき、泳動姿勢を安定し、魚のような様々なアクションを演出できる。
【図面の簡単な説明】
【図１】  本発明の第１実施形態を採用したルアーの全体図。
【図２】  図１のII−II断面図。
【図３】  本発明の第２実施形態を採用したルアーの全体図。
【図４】  本発明の第３実施形態を採用したルアーの全体図。
【図５】  図４のV −V 断面図。
【図６】  本発明の第４実施形態を採用したルアーの全体図。
【符号の説明】
１，４１，６１  ルアー本体
１１，５１，７１  ワイヤ部材
１０  重り
５０  小球重り
【図１】
0003779458.tif 000002
【図２】
0003779458.tif 000003
【図３】
0003779458.tif 000004
【図４】
0003779458.tif 000005
【図５】
0003779458.tif 000006
【図６】
0003779458.tif 000007